(57)【特許請求の範囲】
【請求項１】
装置底部に装置ベースフレームを有し、該装置底部の隙間をブラケットにより覆う現金自動取引装置であって、
装置の左右側面に設けられた左右側面ブラケットは、複数の溝部を備え、装置側の複数の装置支持部材に前記複数の溝部を引っ掛けて固定し、
装置前面に設けられた前面ブラケットは、前記左右側面ブラケットの前面側を覆うように取り付け、前面アンカーボルトにより前記装置ベースフレームとともに設置床に固定するようにしたことを特徴とする現金自動取引装置。
【請求項２】
装置ベースフレームに取り付けられたキャスタにより移動しアジャスタにより設置し、前面ブラケット、背面ブラケット、左右側面ブラケットにより装置底部の隙間を覆う現金自動取引装置であって、
前記背面ブラケットは、背面アンカーボルトにより前記装置ベースフレームとともに設置床に固定し、
前記左右側面ブラケットは、両端部にＵ字溝を備え、装置前面側のアジャスタに装置前面側のＵ字溝を前面側から引っ掛けて固定するとともに、装置背面側の背面キャスタに装置背面側のＵ字溝を前面側から引っ掛けて固定し、
前記前面ブラケットは、前記左右側面ブラケットの前面側を覆うように取り付け、前面アンカーボルトにより前記装置ベースフレームとともに設置床に固定するようにしたことを特徴とする現金自動取引装置。
【請求項３】
前記左右側面ブラケットは、該左右側面ブラケットと前記現金自動取引装置との隙間を覆うプレートを溶着するようにしたことを特徴とする請求項２記載の現金自動取引装置。
【発明の詳細な説明】
【技術分野】
【０００１】
本発明は、構外などに設置され防盗性を要する現金自動取引装置に関するものである。
【背景技術】
【０００２】
一般に、構外などに設置される現金自動取引装置では、図１０に示したように、防盗性を確保するために、現金自動取引装置１をアンカーボルト３により設置床に固定し、現金自動取引装置１ごと盗難されないような構造としている。
【０００３】
しかしながら、現金自動取引装置１を設置する際、アンカーボルト３により固定する位置まで現金自動取引装置１の底部に備えたキャスタ４により運搬し、アジャスタ１３を下げ、アンカーボルト３にて固定するようになっているため、現金自動取引装置１と設置床２の間には同図に示したように隙間Ｌａが発生する。  このため、隙間Ｌａにバール２５や油圧ジャッキ２６を矢印Ａのように挿入し、アンカーボルト３を引きちぎって、現金自動取引装置１ごと盗難されるおそれがあった。
【０００４】
この不具合を解決するために、さらには、現金自動取引装置１と設置床２の隙間に顧客が指を挟んだり、現金及びカードなどを落とし、現金自動取引装置１の下に入り込んだりしないようにするために、図１１に示したように保護プレート７を取り付け、隙間Ｌａを隠すようにしていた。
【０００５】
そして、保護プレート７を容易に取り外せないように、通常入手しにくい専用工具により取付け取外しを行う特殊ネジを用いて保護プレート７を現金自動取引装置１に固定する技術はあった（例えば、特許文献１参照）。
【先行技術文献】
【特許文献】
【０００６】
【特許文献１】特開２００２−３２９２２８号公報
【発明の概要】
【発明が解決しようとする課題】
【０００７】
しかしながら、専用工具を窃取して特殊ネジを外して保護プレート７を取り外したり、バール２５等で無理やり保護プレート７を取り外して隙間Ｌａを作り、油圧ジャッキ２６を挿入し、アンカーボルト３を引きちぎって現金自動取引装置１ごと盗難されるおそれが依然としてあった。
【課題を解決するための手段】
【０００８】
本発明は、前述の課題を解決するため次の構成を採用する。すなわち、装置底部に装置ベースフレームを有し、該装置底部の隙間をブラケットにより覆う現金自動取引装置であって、装置の左右側面に設けられた左右側面ブラケットは、複数の溝部を備え、装置側の複数の装置支持部材に前記複数の溝部を引っ掛けて固定し、装置前面に設けられた前面ブラケットは、前記左右側面ブラケットの前面側を覆うように取り付け、前面アンカーボルトにより前記装置ベースフレームとともに設置床に固定するようにした。
【発明の効果】
【０００９】
本発明の現金自動取引装置によれば、装置底部に装置ベースフレームを有し、該装置底部の隙間をブラケットにより覆う現金自動取引装置であって、装置の左右側面に設けられた左右側面ブラケットは、複数の溝部を備え、装置側の複数の装置支持部材に前記複数の溝部を引っ掛けて固定し、装置前面に設けられた前面ブラケットは、前記左右側面ブラケットの前面側を覆うように取り付け、前面アンカーボルトにより前記装置ベースフレームとともに設置床に固定するようにしたので、装置底部の隙間を覆うブラケットの取り外しを確実に防止することができ、現金自動取引装置ごと盗難されることもない。
【図面の簡単な説明】
【００１０】
【図１】実施例１の現金自動取引装置の構成図である。
【図２】実施例１の現金自動取引装置の背面図である。
【図３】実施例１の自動取引装置の底面構成図である。
【図４】実施例１の現金自動取引装置の動作説明図である。
【図５】実施例１の現金自動取引装置の動作説明図である。
【図６】実施例２の現金自動取引装置の構成図である。
【図７】実施例２の現金自動取引装置の要部構成図である。
【図８】実施例２の現金自動取引装置の動作説明図である。
【図９】実施例３の現金自動取引装置の要部構成図である。
【図１０】従来の現金自動取引装置の構成および不具合の説明図である。
【図１１】従来の現金自動取引装置の構成図である。
【発明を実施するための形態】
【００１１】
以下、本発明に係わる実施の形態例を、図面を用いて説明する。図面に共通する要素には同一の符号を付す。
【００１２】
なお、以下の実施例の説明では、背面側を壁などに密着させて取り付ける現金自動取引装置を例として説明し、現金自動取引装置を移動するためのキャスタを、前面側を回転自在のキャスタとし、背面側のキャスタを前面背面側への移動のみに固定したキャスタとして説明するが、いずれの種類のキャスタであっても勿論よい。
【実施例１】
【００１３】
（構成）
実施例１の現金自動取引装置は、図１の底面斜視図、図２の背面図、図３の底面図に示したような構成となっており、設置床２と現金自動取引装置１の隙間Ｌａを隠すために、装置前面１ｆに前面ブラケット１１が、背面１ｇに背面ブラケット８が、左右側面側１ｈ及び１ｊにも右側面ブラケット９及び左側面ブラケット１０が取り付けられる構成となっている。
【００１４】
そして、左右側面側１ｈ及び１ｊの右側面ブラケット９及び左側面ブラケット１０には、図２に示したように、現金自動取引装置１を取り付ける際の設置床２の凹凸を吸収し現金自動取引装置１を水平に設置するための調整用として隙間Ｌｂが設けられるようになっている。
【００１５】
また、背面ブラケット８及び前面ブラケット１１は、現金自動取引装置１の内側から前面アンカーボルト３ａ、背面アンカーボルト３ｂにて装置ベースフレーム１２とともに設置床２に施工されたアンカー穴に固定できる構成となっている。
【００１６】
また、図３に示したように、右側面ブラケット９及び左側面ブラケット１０の前面側のＵ字溝９ａ、１０ａが装置ベースフレーム１２に実装されたアジャスタ１３に引っ掛け、右側面ブラケット９及び左側面ブラケット１０の背面側のＵ字溝９ｂ、１０ｂが装置ベースフレーム１２に実装された背面キャスタ４ｂに引っ掛けて固定できるようになっている。
【００１７】
（動作）
以上の構成により実施例１の現金自動取引装置は、以下のように動作する。この動作を前述の図４、図５の動作説明図を用いて以下詳細に説明する。
【００１８】
まず、現金自動取引装置１を設置するときは、図４矢印Ｃのように、端部に案内板８ｇが備えられた背面ブラケット８を現金自動取引装置１の背面底部隙間にはめ込み、背面ブラケット８の左右端部をネジ１４により固定する。なお、ネジ１４は、現金自動取引装置１の背面１ｇを壁等に密着させて取り付ける場合は、通常のネジでよいが、背面が見える状態で設置する場合は、専用工具でのみ取付け取外しができる特殊ネジを使用するようにするとよい。
【００１９】
そして、現金自動取引装置１を設置床２に施工されたアンカー穴の位置まで移動させ、現金自動取引装置１の内側から背面アンカーボルト３ｂを装置ベースフレーム１２に備えた孔を通してアンカー穴に取り付けて固定する。なお、背面アンカーボルト３ｂは、現金自動取引装置１の背面１ｇを壁等に密着させて取り付け、外部から容易に操作できない場合は、ネジ部のないシャフトのみのアンカーとしあらかじめ背面ブラケット８に取付けておくようにしてもよい。
【００２０】
そして、図５に示したように、装置右側面１ｊから右側面ブラケット９を背面ブラケット端部に設けた前記案内板８ｇに合わせて矢印Ｄ方向に移動させ、次に矢印Ｅ方向に移動させて、装置前面１ｆ側のアジャスタ１３の固定部材にＵ字溝９ａを引っ掛けるとともに、装置背面１ｇ側の背面キャスタ４ｂにＵ字溝９ｂを引っ掛けて固定する。
【００２１】
同様に、装置左側面１ｈから左側面ブラケット１０を前記背面ブラケット端部に設けた前記案内板８ｇに合わせて矢印Ｆ方向に移動させ、次に矢印Ｇ方向に移動させて、装置前面１ｆ側のアジャスタ１３の固定部材にＵ字溝１０ａを引っ掛けるとともに、装置背面１ｇ側の背面キャスタ４ｂにＵ字溝１０ｂを引っ掛けて固定する。
【００２２】
そして、現金自動取引装置１の前面ドア１ａを開錠して開き、前面ブラケット１１を、矢印Ｈのように右側面ブラケット９と左側面ブラケット１０の前面側を覆うように取り付け、現金自動取引装置１の内側から前面アンカーボルト３ａを装置ベースフレーム１２に備えた孔を通して設置床２に施工されたアンカー穴に取り付け固定する。なお、前面ブラケット１１の上側端部を前面ドア１ａの内側に差し込む構成とし、前面ドア１ａを閉じたときに前面ブラケット１１が現金自動取引装置１に強固に固定されるようにするとなおよい。
【００２３】
そして、現金自動取引装置１の前面ドア１ａを閉じ、図示しない鍵等によりロックして設置を終了する。
【００２４】
（作用）
以上のように設置した現金自動取引装置１は、前面ブラケット１１は前面アンカーボルト３ａにより装置ベースフレーム１２とともに設置床２に固定され、さらに上側端部を前面ドア１ａの内側に差し込んで、前面ドア１ａにより強固に固定されているので、前面ブラケット１１は、前面ドア１ａを開錠しなければ、これを容易に取り外すことはできない。
【００２５】
また、前面ブラケット１１が、右側面ブラケット９と左側面ブラケット１０の前面側を覆うように取り付けられているので、右側面ブラケット９と左側面ブラケット１０のＵ字溝９ａ、１０ａおよびＵ字溝９ｂ、１０ｂをアジャスタ１３および背面キャスタ３ｂから外すことができず、無理やり右側面ブラケット９や左側面ブラケット１０を引き外そうとしても、Ｕ字溝の引っ掛かりがブラケットの面方向に作用し強固に固定され、容易に引き外すことができない。
【００２６】
（実施例１の効果）
以上のように実施例１の現金自動取引装置によれば、ベースフレームに取り付けられたキャスタにより移動しアジャスタにより設置し、前面ブラケット、背面ブラケット、左右側面ブラケットにより装置底部の隙間を覆う現金自動取引装置であって、前記背面ブラケットは、背面アンカーボルトにより前記ベースフレームとともに設置床に固定し、前記左右側面ブラケットは、両端部にＵ字溝を備え、装置前面側のアジャスタに装置前面側のＵ字溝を前面側から引っ掛けて固定するとともに、装置背面側の背面キャスタに装置背面側のＵ字溝を前面側から引っ掛けて固定し、前記前面ブラケットは、前記左右側面ブラケットの前面側を覆うように取り付け、前面アンカーボルトにより装置ベースフレームとともに設置床に固定するようにしたので、装置底部の隙間を覆うブラケットの取り外しを確実に防止することができ、現金自動取引装置ごと盗難されることもない。
【実施例２】
【００２７】
（構成）
実施例２の現金自動取引装置１は、図６に示したように、右側面ブラケット９及び左側面ブラケット１０を取り付ける際、設置床２の凹凸を吸収するために発生する隙間Ｌｆが見えなくなるように、図７に示したようなプレート１５が右側面ブラケット９及び左側面ブラケット１０にそれぞれ溶接された構成となっている。その他の構成は、実施例１と同様であるので、簡略化のためにその詳細な説明は省略する。なお、背面ブラケット８を取付ける際に発生する図２の隙間Ｌｂを覆うように同様のプレートを背面ブラケット８にも溶接しておくようにするとなおよい。
【００２８】
（動作）
以上の構成により実施例２の現金自動取引装置は、以下のように動作する。すなわち、実施例１と同様に、装置背面１ｇの底部隙間に、端部に案内板８ｇが備えられた背面ブラケット８を取り付ける。
【００２９】
次に、装置右側面１ｊから右側面ブラケット９を前記背面ブラケット端部に設けた案内板８ｇに合わせて矢印Ｄ方向に移動させ、次に矢印Ｅ方向に移動させて、装置前面１ｆ側のアジャスタ１３の固定部材にＵ字溝９ａを引っ掛けるとともに、装置背面１ｇ側の背面キャスタ４ｂにＵ字溝９ｂを引っ掛けて固定する。
【００３０】
同様に、装置左側面１ｈから左側面ブラケット１０を前記背面ブラケット端部に設けた案内板８ｇに合わせて矢印Ｆ方向に移動させ、次に矢印Ｇ方向に移動させて、装置前面１ｆ側のアジャスタ１３の固定部材にＵ字溝１０ａを引っ掛けるとともに、装置背面１ｇ側の背面キャスタ４ｂにＵ字溝１０ｂを引っ掛けて固定する。
【００３１】
そして、現金自動取引装置１の前面ドア１ａを開錠して開き、前面ブラケット１１を、矢印Ｈのように右側面ブラケット９と左側面ブラケット１０の前面側を覆うように取り付け、現金自動取引装置１の内側から前面アンカーボルト３ａを装置ベースフレーム１２に設けた孔を通して設置床２に施工されたアンカー穴に取り付け固定する。
【００３２】
そして、現金自動取引装置１の前面ドア１ａを閉じ、図示しない鍵等によりロックして設置を終了する。
【００３３】
（作用）
以上のように設置した現金自動取引装置１は、実施例１の作用に加え、図８に示したように、設置床２の凹凸を吸収するために発生する設置床２と前面扉１ａ間の隙間Ｌｆをプレート１５にて覆うことができるので、バール２５などを入れる隙間がなくなり、さらに装置の防盗性を高くすることができる。
【００３４】
（実施例２の効果）
以上のように実施例２の現金自動取引装置によれば、側面ブラケットと現金自動取引装置との隙間を覆うプレートを溶着させておくようにしたので、側面ブラケットを取り付けることにより完全に隙間がなくなりさらに装置の防盗性を高くすることができる。
【実施例３】
【００３５】
（構成）
実施例３の現金自動取引装置は、図９に示したように、右側面ブラケット９および左側面ブラケット１０並びに装置ベースプレート１２に、ロックブラケット孔１６および突き刺しネジ孔を設け、右側面ブラケット９および左側面ブラケット１０を取り付けた後、ロックブラケット１６をはめ込み、突き刺しネジ１７にて固定できる構成となっている。その他の構成は、実施例１または実施例２の構成と同様であるので、簡略化のためにその詳細な説明は省略する。
【００３６】
（動作）
以上の構成により実施例３の現金自動取引装置は、以下のように動作する。すなわち、現金自動取引装置１を設置する際、実施例１または実施例２の動作と同様、背面ブラケット８を取り付け、そして、左右側面ブラケット９および１０を取り付け、前記ロックブラケット１６をはめ込み、突き刺しネジ１７にて固定する。
【００３７】
そして、実施例１または実施例２の動作と同様、前面ブラケット１１を取り付け、前面ドア１ａを閉じて、鍵等によりロックして設置を終了する。
【００３８】
（作用）
以上のように設置した現金自動取引装置１は、実施例１または実施例２の作用に加え、図９のように、左右側面ブラケット９および１０にロックブラケット１６をはめ込み、突き刺しネジ１７にて固定するので、右側面ブラケット９と左側面ブラケット１０を前面ドア１ａ側にスライドさせてＵ字溝９ａ、１０ａやＵ字溝９ｂ、１０ｂをアジャスタ１３や背面キャスタ３ｂから外すようにしても、ロックブラケット１６によりロックされているので、スライドさせることができず、右側面ブラケット９と左側面ブラケット１０を引き外そうとしても、Ｕ字溝の引っ掛かりにより、容易に引き外すことができず、さらに装置の防盗性を高くすることができる。
【００３９】
（実施例３の効果）
以上のように実施例３の現金自動取引装置によれば、左右側面ブラケットにロックブラケットをはめ込み、突き刺しネジにて固定するようにしたので、右側面ブラケットと左側面ブラケットを前面ドア側にスライドさせてＵ字溝をアジャスタおよび背面キャスタから外すようにしても、ロックブラケットによりロックするようにしたので、さらに装置の防盗性を高くすることができる。
【産業上の利用可能性】
【００４０】
以上述べたように、本発明は、構外などに設置され防盗性を要する現金自動取引装置等に広く用いることができる。
【符号の説明】
【００４１】
１    現金自動取引装置
１ａ  前面ドア
１ｂ  背面パネル
１ｆ  前面
１ｇ  背面
１ｊ  右側面
２    設置床
３ａ  前面アンカーボルト
３ｂ  背面アンカーボルト
４ａ  前面キャスタ
４ｂ  背面キャスタ
８    背面ブラケット
８ｇ  案内板
９    右側面ブラケット
９ａ、９ｂ、１０ａ、１０ｂ  Ｕ字溝
１０  左側面ブラケット
１１  前面ブラケット
１２  装置ベースフレーム
１３  アジャスタ
１４  ネジ
１５  プレート
１６  ロックブラケット
１７  突き刺しネジ
Ｌａ、Ｌｂ、Ｌｆ  隙間
【図１】
0005484124.tif 000002
【図２】
0005484124.tif 000003
【図３】
0005484124.tif 000004
【図４】
0005484124.tif 000005
【図５】
0005484124.tif 000006
【図６】
0005484124.tif 000007
【図７】
0005484124.tif 000008
【図８】
0005484124.tif 000009
【図９】
0005484124.tif 000010
【図１０】
0005484124.tif 000011
【図１１】
0005484124.tif 000012